(57)【要約】      （修正有）【課題】乾きが早く、衛生的で、破れにくく、しかも広げやすい紙製のハンカチを提供する。【解決手段】表面にシワ模様を有する紙片１０からなるペーパーハンカチ１であって、紙片が、互いに略直交する２つの折り目Ｍ、Ｎに沿って折り畳まれ、最初の折り目Ｍに沿って折り畳まれた状態において、紙片の対向する縁２１、２２同士がずれるように配置されている。【選択図】図１
0003232678.tif 000002
【実用新案登録請求の範囲】
【請求項１】
表面に模様を有する天然パルプ製紙片からなるペーパーハンカチであって、
前記紙片が、互いに略直交する２つの折り目に沿って折り畳まれ、
１つの前記折り目に沿って折り畳まれた状態において、前記紙片の対向する縁同士がずれるように配置されていること、
を特徴とするペーパーハンカチ。
【請求項２】
前記紙片がクレープ紙からなること、
を特徴とする請求項１に記載のペーパーハンカチ。
【請求項３】
前記紙片が、前記対向する縁同士が１ｍｍ〜３ｍｍだけずれるように折り畳まれていること、
を特徴とする請求項１又は２に記載のペーパーハンカチ。
【請求項４】
前記紙片の目付が５０〜６０ｇ／ｍ２であること、
を特徴とする請求項３に記載のペーパーハンカチ。
【考案の詳細な説明】
【技術分野】
【０００１】
本考案は、ペーパーハンカチに関する。
【背景技術】
【０００２】
例えば特許文献１は、折り畳んだ状態で使用される紙製のハンカチを開示する。かかるハンカチは、乾きが早くて不快にならず、使い捨てのため不潔にならない。
【先行技術文献】
【特許文献】
【０００３】
【特許文献１】実用新案登録第３１１３３００号公報
【考案の概要】
【考案が解決しようとする課題】
【０００４】
しかし、紙製のハンカチは一般に破れ易く、強度に問題がある。また、紙片が薄手であるために、折り畳まれた状態において対向する縁同士がぴったりと重なり合い、広げにくい。このように、紙製のハンカチには未だ改善の余地がある。
【０００５】
そこで、本考案の目的は、乾きが早く、衛生的で、破れにくく、しかも広げやすい紙製のハンカチを提供することにある。
【課題を解決するための手段】
【０００６】
上記の課題を解決すべく、本考案は、
表面に模様を有する天然パルプ製紙片からなるペーパーハンカチであって、
前記紙片が、互いに略直交する２つの折り目に沿って折り畳まれ、
最初の前記折り目に沿って折り畳まれた状態において、前記紙片の対向する縁同士がずれるように配置されていること、
を特徴とするペーパーハンカチ
を提供する。
【０００７】
また、本考案では、前記紙片がクレープ紙からなること、が好ましい。
【０００８】
また、本考案では、前記紙片が、前記対向する縁同士が１ｍｍ〜３ｍｍだけずれるように折り畳まれていること、が好ましい。
【０００９】
また、本考案では、前記紙片の目付が５０〜６０ｇ／ｍ２であること、が好ましい。
【考案の効果】
【００１０】
本考案によれば、乾きが早く、衛生的で、破れにくく、しかも広げやすい紙製のハンカチを提供することができる。
【図面の簡単な説明】
【００１１】
【図１】本実施形態に係るペーパーハンカチ１の展開図である。
【図２】破線Ｍに沿って折り畳まれた状態のペーパーハンカチ１を示す図である。
【図３】更に破線Ｎに沿って折り畳まれた状態のペーパーハンカチ１を示す図である。
【考案を実施するための形態】
【００１２】
以下、本考案に係るペーパーハンカチの一実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１３】
図１に示すように、本実施形態に係るペーパーハンカチ１は、１枚の紙片１０からなる。ここでは、紙片１０は略正方形状であるが、これに限られない。
【００１４】
紙片１０は、表面にシワ模様を有する。あるいは、紙片１０の表面に微細な凹凸があると言ってもよい。これにより、紙片１０に厚みが生まれるとともに、紙片１０の感触がソフトになる。また、このような構成を有する紙片１０は、吸水能力及び保水能力に優れ、引っ張られたときに、シワが伸びることで紙片１０が破れにくくなる。
【００１５】
紙片１０は、１枚で手などの水分を充分に吸収する観点から、厚めの紙で作製されることが好ましい。例えば、紙片１０の目付が５０〜６０ｇ／ｍ２（好ましくは５１〜５６ｇ／ｍ２）であることが好適である。
【００１６】
紙片１０としては、高い引裂き強度及び伸縮性・柔軟性の観点から、クレープ紙であることが望ましい。また、紙片１０は、人体への安全性の観点から、天然パルプ１００％であることが好ましい。
【００１７】
ハンカチとしての使い勝手や携帯性の観点から、紙片１０の辺をなす縁２１〜２４の長さが１５〜２０ｃｍ（好ましくは１６〜１９ｇ／ｍ２）であることが好ましい。
【００１８】
紙片１０は、互いに略直交する折り目線Ｍ，Ｎに沿って４ツ折に折り畳まれる。つまり、折り目線Ｍ，Ｎによって紙片１０は領域１１〜１４に区分けされる。
【００１９】
折り目線Ｎは、紙片１０の対向する縁２１，２２をそれぞれ等分する。折り目線Ｍは、対向する縁２３，２４をそれぞれ等分する仮想線Ｌから僅かにずれている。これにより、縁２１，２２同士が少しずれ（つまり重なり合わず）、図２に示す２ツ折りの状態から紙片１を広げやすくなる。
【００２０】
縁２１，２２同士のずれ、すなわち間隔Ｄは、作業性の観点から、０．５〜５ｍｍ（更に好ましくは１ｍｍ〜３ｍｍ）であることが好ましい。なお、折り目線Ｎに沿って更に折り畳まれた状態において、縁２３，２４は、図３のように重なり合っていてもよいし、ずれて配置されてもよい。
【００２１】
図３のように４ツ折に折り畳まれたペーパーハンカチ１は、他のペーパーハンカチ１と重ねられ、包装される。ユーザは、包装からペーパーハンカチ１を取り出し、使用する。使用の際、ユーザは、ペーパーハンカチ１を広げて使用してもよいし、折り畳まれた状態のまま使用してもよい。
【００２２】
４ツ折のペーパーハンカチ１を広げる場合、ユーザは、まず折り目線Ｎを軸として紙片１０を開いて２ツ折とし（図３及び図２参照）、次いで折り目線Ｍを軸として紙片１０を開く（図２及び図１参照）。２ツ折の紙片１０を更に開く際、縁２１，２２がずれているために、ユーザは、縁２１，２２同士を離す作業を容易に行うことができ、作業性が上がる。この点、これらの縁が重なっていると、指でこれら縁を分けるのに手間取り、紙片１０を広げにくい。
【００２３】
また、ペーパーハンカチ１をクレープ紙で作製することで、吸水性に優れ、しかも破れにくいハンカチを提供することができる。
【００２４】
ペーパーハンカチ１は使い捨て可能であり、衛生的である。また、ペーパーハンカチ１を天然素材で作製することで、口周りにも幼児にも安心して使用できる。
【００２５】
ペーパーハンカチ１は、折り畳まれた状態では、１辺１０ｃｍほどの、鞄に容易に入るコンパクトサイズであり、携帯性に優れている。
【００２６】
ペーパーハンカチ１は、その高い吸水力から、手拭きなどのためにも使用することができ、また紙ナプキンとしても使用できる。
【００２７】
以上、本考案の代表的な実施形態について説明したが、本考案はこれらに限定されるものではなく、種々の設計変更が可能であり、それらも本考案に含まれる。例えば、ペーパーハンカチ１は、略正方形状だけでなく、略長方形状でもよいし、略円状、多角形状でもよい。
【符号の説明】
【００２８】
１  ペーパーハンカチ
１０  紙片
１１〜１４  領域
２１〜２４  縁
Ｍ，Ｎ  折り目線
【図１】
0003232678.tif 000003
【図２】
0003232678.tif 000004
【図３】
0003232678.tif 000005